(57)【特許請求の範囲】
【請求項１】
ターゲットオブジェクトの表示方法であって、
ターゲットオブジェクトに対してマルチタッチイベントの検出を行うことと、
検出されたマルチタッチイベントが、前記ターゲットオブジェクトをプライベート表示モードに切り替えるトリガーとして働く予め設定された第１マルチタッチイベントであるか否かを判断することと、
検出されたマルチタッチイベントが前記第１マルチタッチイベントである場合、前記プライベート表示モードで前記ターゲットオブジェクトのみを表示するように、前記ターゲットオブジェクトをプライベート表示モードに切り替えることと、
を含み、
前記第１マルチタッチイベントは、前記ターゲットオブジェクトに対する第１選択イベント及び拡大ジェスチャーイベントを含み、
前記第１選択イベントの発生期間内に前記拡大ジェスチャーイベントの発生期間を含み、
前記第１選択イベントは、長押しイベントを含み、
前記拡大ジェスチャーイベントは画面の任意の位置に対して２本指を開くイベントを含むことを特徴とするターゲットオブジェクトの表示方法。
【請求項２】
前記ターゲットオブジェクトをプライベート表示モードに切り替えた後に、
前記ターゲットオブジェクトに対してマルチタッチイベントの検出を行うことと、
検出されたマルチタッチイベントが、前記ターゲットオブジェクトを前記プライベート表示モードからデフォルト表示モードに回復させるトリガーとして働く予め設定された第２マルチタッチイベントであるか否かを判断することと、
検出されたマルチタッチイベントが前記第２マルチタッチイベントである場合、前記ターゲットオブジェクトを前記プライベート表示モードから前記デフォルト表示モードに切
り替えることと、
を更に含み、
前記第２マルチタッチイベントは、前記ターゲットオブジェクトに対する第２選択イベント及び縮小ジェスチャーイベントを含み、
前記第２選択イベントの発生期間内に前記縮小ジェスチャーイベントの発生期間を含み、
前記第２選択イベントは、長押しイベントを含み、
前記縮小ジェスチャーイベントは画面の任意の位置に対して２本指を閉じるイベントを含むことを特徴とする請求項１に記載のターゲットオブジェクトの表示方法。
【請求項３】
前記ターゲットオブジェクトをプライベート表示モードに切り替えることは、
前記ターゲットオブジェクトを予め設定されたプライベート表示インターフェースに移動して表示することを含み、
前記ターゲットオブジェクトをプライベート表示モードからデフォルト表示モードに切り替えることは、
前記ターゲットオブジェクトを前記予め設定されたプライベート表示インターフェースから移出し、前記予め設定されたプライベート表示インターフェースを閉じることを含むことを特徴とする請求項２に記載のターゲットオブジェクトの表示方法。
【請求項４】
前記ターゲットオブジェクトをプライベート表示モードに切り替えることは、
前記ターゲットオブジェクトを全画面表示してロック画面状態に保持することを含み、
前記ターゲットオブジェクトをプライベート表示モードからデフォルト表示モードに切り替えることは、
前記ターゲットオブジェクトの全画面表示から退出してロック画面状態を解除することを含むことを特徴とする請求項２に記載のターゲットオブジェクトの表示方法。
【請求項５】
前記ターゲットオブジェクトは、画像オブジェクト又はテキストオブジェクトを含むことを特徴とする請求項１に記載のターゲットオブジェクトの表示方法。
【請求項６】
ターゲットオブジェクトの表示装置であって、
ターゲットオブジェクトに対してマルチタッチイベントの検出を行う第１検出モジュールと、
前記第１検出モジュールにより検出されたマルチタッチイベントが、前記ターゲットオブジェクトをプライベート表示モードに切り替えるトリガーとして働く予め設定された第１マルチタッチイベントであるか否かを判断する第１判断モジュールと、
前記第１判断モジュールにより検出されたマルチタッチイベントが予め設定された第１マルチタッチイベントであると判断した場合、前記プライベート表示モードで前記ターゲットオブジェクトのみを表示するように、前記ターゲットオブジェクトをプライベート表示モードに切り替える第１切り替えモジュールと、
を備え、
前記第１検出モジュールにより検出された前記第１マルチタッチイベントは、前記ターゲットオブジェクトに対する第１選択イベント及び拡大ジェスチャーイベントを含み、
前記第１選択イベントの発生期間内に前記拡大ジェスチャーイベントの発生期間を含み、
前記第１検出モジュールにより検出された前記第１選択イベントは、長押しイベントを含み、
前記第１検出モジュールにより検出された前記拡大ジェスチャーイベントは画面の任意の位置に対して２本指を開くイベントを含むことを特徴とするターゲットオブジェクトの表示装置。
【請求項７】
第２検出モジュール、第２判断モジュール及び第２切り替えモジュールを更に備え、
前記第２検出モジュールは、前記第１切り替えモジュールが前記ターゲットオブジェクトをプライベート表示モードに切り替えた後、前記ターゲットオブジェクトに対してマルチタッチイベントの検出を行い、
前記第２判断モジュールは、前記第２検出モジュールにより検出されたマルチタッチイベントが、前記ターゲットオブジェクトを前記プライベート表示モードからデフォルト表示モードに回復させるトリガーとして働く予め設定された第２マルチタッチイベントであるか否かを判断し、
前記第２切り替えモジュールは、前記第２判断モジュールが検出されたマルチタッチイベントが前記第２マルチタッチイベントであると判断した場合、前記ターゲットオブジェクトを前記プライベート表示モードから前記デフォルト表示モードに切り替え、
前記第２検出モジュールにより検出された前記第２マルチタッチイベントは、前記ターゲットオブジェクトに対する第２選択イベント及び縮小ジェスチャーイベントを含み、
前記第２選択イベントの発生期間内に前記縮小ジェスチャーイベントの発生期間を含み、
前記第２検出モジュールにより検出された前記第２選択イベントは、長押しイベントを含み、
前記第２検出モジュールにより検出された前記縮小ジェスチャーイベントは画面の任意の位置に対して２本指を閉じるイベントを含むことを特徴とする請求項６に記載のターゲットオブジェクトの表示装置。
【請求項８】
第１切り替えモジュールは、前記ターゲットオブジェクトを予め設定されたプライベート表示インターフェースに移動して表示する第１表示サブモジュールを備え、
前記第２切り替えモジュールは、前記ターゲットオブジェクトを前記予め設定されたプライベート表示インターフェースから移出して前記予め設定されたプライベート表示インターフェースを閉じるクローズサブモジュールを備えることを特徴とする請求項７に記載のターゲットオブジェクトの表示装置。
【請求項９】
第１切り替えモジュールは、前記ターゲットオブジェクトを全画面表示してロック画面状態に保持する第２表示サブモジュールを備え、
前記第２切り替えモジュールは、前記ターゲットオブジェクトの全画面表示から退出してロック画面状態を解除する退出サブモジュールを備えることを特徴とする請求項７に記載のターゲットオブジェクトの表示装置。
【請求項１０】
前記第１検出モジュール及び前記第２検出モジュールが検出する前記ターゲットオブジェクトは、画像オブジェクト又はテキストオブジェクトを含むことを特徴とする請求項７に記載のターゲットオブジェクトの表示装置。
【請求項１１】
ターゲットオブジェクトの表示装置であって、
プロセッサと、
プロセッサにより実行可能なコマンドを記憶するためのメモリーと、
を備え、
前記プロセッサは、
ターゲットオブジェクトに対してマルチタッチイベントの検出を行い、
検出されたマルチタッチイベントが、前記ターゲットオブジェクトをプライベート表示モードに切り替えるトリガーとして働く予め設定された第１マルチタッチイベントであるか否かを判断し、
検出されたマルチタッチイベントが前記第１マルチタッチイベントである場合、前記プライベート表示モードで前記ターゲットオブジェクトのみを表示するように、前記ターゲットオブジェクトをプライベート表示モードに切り替え、
前記第１マルチタッチイベントは、前記ターゲットオブジェクトに対する第１選択イベント及び拡大ジェスチャーイベントを含み、
前記第１選択イベントの発生期間内に前記拡大ジェスチャーイベントの発生期間を含み、
前記第１選択イベントは、長押しイベントを含み、
前記拡大ジェスチャーイベントは画面の任意の位置に対して２本指を開くイベントを含むことを特徴とするターゲットオブジェクトの表示装置。
【発明の詳細な説明】
【技術分野】
【０００１】
本願は、出願番号がＣＮ２０１５１０５１２１０５．Ｘであり、出願日が２０１５年８月１９日である中国特許出願に基づいて提出され、当該中国特許出願の優先権を主張し、当該中国特許出願の全ての内容はここで参照として本願に援用される。
【０００２】
本発明は通信分野に関し、特にターゲットオブジェクトの表示方法及び装置に関する。
【背景技術】
【０００３】
ユーザが携帯電話を使用する過程では、携帯電話を友人に渡って、携帯電話におけるショートメッセージ、ピクチャー等を見せる場合がある。従って、このような使用シーンではどのようにユーザのプライバシーを十分に保証するかは、ユーザ体験を向上させることに対して非常に重要な意味を持つ。
【発明の概要】
【発明が解決しようとする課題】
【０００４】
従来技術に存在する問題を克服するために、本発明はターゲットオブジェクトの表示方法及び装置を提供する。
【課題を解決するための手段】
【０００５】
本発明の実施例に係る第１態様によれば、
ターゲットオブジェクトの表示方法であって、
ターゲットオブジェクトに対してマルチタッチイベントの検出を行うことと、
検出されたマルチタッチイベントが、前記ターゲットオブジェクトをプライベート表示モードに切り替えるトリガーとして働く予め設定された第１マルチタッチイベントであるか否かを判断することと、
検出されたマルチタッチイベントが前記第１マルチタッチイベントである場合、前記プライベート表示モードで前記ターゲットオブジェクトのみを表示するように、前記ターゲットオブジェクトをプライベート表示モードに切り替えることと、
を含むターゲットオブジェクトの表示方法を提供している。
【０００６】
好ましくは、前記ターゲットオブジェクトをプライベート表示モードに切り替えた後に、
前記ターゲットオブジェクトに対してマルチタッチイベントの検出を行うことと、
検出されたマルチタッチイベントが、前記ターゲットオブジェクトを前記プライベート表示モードからデフォルト表示モードに回復させるトリガーとして働く予め設定された第２マルチタッチイベントであるか否かを判断することと、
検出されたマルチタッチイベントが前記第２マルチタッチイベントである場合、前記ターゲットオブジェクトを前記プライベート表示モードから前記デフォルト表示モードに切り替えることと、
を更に含む。
【０００７】
好ましくは、前記ターゲットオブジェクトをプライベート表示モードに切り替えることは、
前記ターゲットオブジェクトを予め設定されたプライベート表示インターフェースに移動して表示することを含み、
前記ターゲットオブジェクトをプライベート表示モードからデフォルト表示モードに切り替えることは、
前記ターゲットオブジェクトを前記予め設定されたプライベート表示インターフェースから移出し、前記予め設定されたプライベート表示インターフェースを閉じることを含む。
【０００８】
好ましくは、前記ターゲットオブジェクトをプライベート表示モードに切り替えることは、
前記ターゲットオブジェクトを全画面表示してロック画面状態に保持することを含み、
前記ターゲットオブジェクトをプライベート表示モードからデフォルト表示モードに切り替えることは、
前記ターゲットオブジェクトの全画面表示から退出してロック画面状態を解除することを含む。
【０００９】
好ましくは、前記第１マルチタッチイベントは、前記ターゲットオブジェクトに対する第１選択イベント及び拡大ジェスチャーイベントを含み、前記第１選択イベントの発生期間内に前記拡大ジェスチャーイベントの発生期間を含み、
前記第２マルチタッチイベントは、前記ターゲットオブジェクトに対する第２選択イベント及び縮小ジェスチャーイベントを含み、前記第２選択イベントの発生期間内に前記縮小ジェスチャーイベントの発生期間を含む。
【００１０】
好ましくは、前記第１選択イベント及び前記第２選択イベントは、いずれも長押しイベントを含み、
前記拡大ジェスチャーイベントは、画面の任意の位置に対して２本指を開くイベントを含み、
前記縮小ジェスチャーイベントは、画面の任意の位置に対して２本指を閉じるイベントを含む。
【００１１】
好ましくは、前記ターゲットオブジェクトは、画像オブジェクト又はテキストオブジェクトを含む。
【００１２】
本発明の実施例に係る第２態様によれば、
ターゲットオブジェクトの表示装置であって、
ターゲットオブジェクトに対してマルチタッチイベントの検出を行う第１検出モジュールと、
前記第１検出モジュールにより検出されたマルチタッチイベントが、前記ターゲットオブジェクトをプライベート表示モードに切り替えるトリガーとして働く予め設定された第１マルチタッチイベントであるか否かを判断する第１判断モジュールと、
前記第１判断モジュールにより検出されたマルチタッチイベントが予め設定された第１マルチタッチイベントであると判断した場合、前記プライベート表示モードで前記ターゲットオブジェクトのみを表示するように、前記ターゲットオブジェクトをプライベート表示モードに切り替える第１切り替えモジュールと、
を備える。
【００１３】
好ましくは、第２検出モジュール、第２判断モジュール及び第２切り替えモジュールを更に備え、
前記第２検出モジュールは、前記第１切り替えモジュールが前記ターゲットオブジェクトをプライベート表示モードに切り替えた後、前記ターゲットオブジェクトに対してマルチタッチイベントの検出を行い、
前記第２判断モジュールは、前記第２検出モジュールにより検出されたマルチタッチイベントが、前記ターゲットオブジェクトを前記プライベート表示モードからデフォルト表示モードに回復させるトリガーとして働く予め設定された第２マルチタッチイベントであるか否かを判断し、
前記第２切り替えモジュールは、前記第２判断モジュールが検出されたマルチタッチイベントが前記第２マルチタッチイベントであると判断した場合、前記ターゲットオブジェクトを前記プライベート表示モードから前記デフォルト表示モードに切り替える。
【００１４】
好ましくは、第１切り替えモジュールは、前記ターゲットオブジェクトを予め設定されたプライベート表示インターフェースに移動して表示する第１表示サブモジュールを備え、
前記第２切り替えモジュールは、前記ターゲットオブジェクトを前記予め設定されたプライベート表示インターフェースから移出して前記予め設定されたプライベート表示インターフェースを閉じるクローズサブモジュールを備える。
【００１５】
好ましくは、第１切り替えモジュールは、前記ターゲットオブジェクトを全画面表示してロック画面状態に保持する第２表示サブモジュールを備え、
前記第２切り替えモジュールは、前記ターゲットオブジェクトを全画面表示から退出してロック画面状態を解除する退出サブモジュールを備える。
【００１６】
好ましくは、前記第１検出モジュールにより検出された前記第１マルチタッチイベントは、前記ターゲットオブジェクトに対する第１選択イベント及び拡大ジェスチャーイベントを含み、前記第１選択イベントの発生期間内に前記拡大ジェスチャーイベントの発生期間を含み、
前記第２検出モジュールにより検出された前記第２マルチタッチイベントは、前記ターゲットオブジェクトに対する第２選択イベント及び縮小ジェスチャーイベントを含み、前記第２選択イベントの発生期間内に前記縮小ジェスチャーイベントの発生期間を含む。
【００１７】
好ましくは、前記第１検出モジュールにより検出された前記第１選択イベント及び前記第２検出モジュールにより検出された前記第２選択イベントは、いずれも長押しイベントを含み、
前記第１検出モジュールにより検出された前記拡大ジェスチャーイベントは、画面の任意の位置に対して２本指を開くイベントを含み、
前記第２検出モジュールにより検出された前記縮小ジェスチャーイベントは、画面の任意の位置に対して２本指を閉じるイベントを含む。
【００１８】
好ましくは、前記第１検出モジュール及び前記第２検出モジュールが検出する前記ターゲットオブジェクトは、画像オブジェクト又はテキストオブジェクトを含む。
【００１９】
本発明の実施例に係る第３態様によれば、
ターゲットオブジェクトの表示装置であって、
プロセッサと、
プロセッサにより実行可能なコマンドを記憶するためのメモリーと、
を備え、
前記プロセッサは、
ターゲットオブジェクトに対してマルチタッチイベントの検出を行い、
検出されたマルチタッチイベントが、前記ターゲットオブジェクトをプライベート表示モードに切り替えるトリガーとして働く予め設定された第１マルチタッチイベントであるか否かを判断し、
検出されたマルチタッチイベントが前記第１マルチタッチイベントである場合、前記プライベート表示モードで前記ターゲットオブジェクトのみを表示するように、前記ターゲットオブジェクトをプライベート表示モードに切り替えることを特徴とするターゲットオブジェクトの表示装置を提供している。
【発明の効果】
【００２０】
本願の実施例により提供される技術的解決手段は、下記の好適な効果を含むことができる。
【００２１】
本発明の以下の実施例では、ターゲットオブジェクトに対してマルチタッチイベントの検出を行い、検出されたマルチタッチイベントがターゲットオブジェクトをプライベート表示モードに切り替えるトリガーとして働く予め設定された第１マルチタッチイベントであるか否かを判断し、検出されたマルチタッチイベントが第１マルチタッチイベントである場合、プライベート表示モードでターゲットオブジェクトのみを表示するように、ターゲットオブジェクトをプライベート表示モードに切り替えるターゲットオブジェクトの表示方法を提出することで、ユーザが簡単なマルチタッチ操作で迅速にターゲットオブジェクトをプライベート表示モードに切り替えることを実現し、ユーザが他のユーザにターゲットオブジェクトを表示するアプリケーションシーンにおいて、発生可能があるプライバシー漏洩のリスクを減らすことができる。
【００２２】
理解すべきことは、以上の一般的な説明と後の詳細な説明は例示的なものに過ぎず、本発明を限定するものではない。
【図面の簡単な説明】
【００２３】
ここの図面は明細書に含まれて明細書の一部分を構成し、本発明に適する実施例を示し、明細書と共に本発明の原理を解釈するためのものである。
【００２４】
【図１】一例示的な実施例により示されたターゲットオブジェクトの表示方法の概略フローチャートである。
【図２】一例示的な実施例により示された別のターゲットオブジェクトの表示方法の概略フローチャートである。
【図３】一例示的な実施例により示されたショートメッセージを表示するインタラクション模式図である。
【図４】一例示的な実施例により示された別のショートメッセージを表示するインタラクション模式図である。
【図５】一例示的な実施例により示されたピクチャーを表示するインタラクション模式図である。
【図６】一例示的な実施例により示された別のピクチャーを表示するインタラクション模式図である。
【図７】一例示的な実施例により示されたターゲットオブジェクトの表示装置の概略ブロック図である。
【図８】一例示的な実施例により示された別のターゲットオブジェクトの表示装置の概略ブロック図である。
【図９】一例示的な実施例により示された別のターゲットオブジェクトの表示装置の概略ブロック図である。
【図１０】一例示的な実施例により示された別のターゲットオブジェクトの表示装置の概略ブロック図である。
【図１１】一例示的な実施例により示された別のターゲットオブジェクトの表示装置の概略ブロック図である。
【図１２】一例示的な実施例により示された別のターゲットオブジェクトの表示装置の概略ブロック図である。
【図１３】一例示的な実施例により示されたターゲットオブジェクト用の表示装置の構成模式図である。
【発明を実施するための形態】
【００２５】
ここで例示的な実施例について詳しく説明し、その実施例は図面に示す通りである。下記の説明が図面に関わる時、別途に表示されない限り、異なる図面における同じ数字は同じ又は類似する要素を示す。以下の例示的な実施例に説明される実施形態は本発明と一致する全ての実施形態を代表するわけではない。逆に、それらは特許請求の範囲に詳細に記載された本発明の一部の態様と一致する装置と方法の例に過ぎない。
【００２６】
本発明に使用される用語は特定な実施例を説明するためのものに過ぎず、本発明を制限するものではない。本発明及び特許請求の範囲に使用される単数形態の「一種」、「上記」と「当該」は、前後関係からはっきりと他の意味を表示しない限り、複数形態も含む。更に、本文に使用される用語「及び／又は」は、一つ又は複数の関連する列記された項目の任意又はすべての組合せを含む。
【００２７】
本発明では、第一、第二、第三などの用語で各種の要素を記載する場合があり、これらの要素はこのような用語に制限されるべきではないと理解すべきである。これらの用語は同じ類型の要素を互いに分けることだけに用いられる。例えば、本発明の範囲から逸脱しない情況で、第一要素を第二要素と称してもよく、同様に、第二要素も第一要素と称してもよい。ここで使用される「場合」という語彙は、状況に応じて「時には」又は「時に」又は「確定に応じて」を意味するものと解釈される。
【００２８】
ユーザが携帯電話を使用する時、携帯電話を友人に渡って、携帯電話におけるショートメッセージ、ピクチャー等を見せる場合がある。一方では、友人に携帯電話におけるショートメッセージを見せる時、携帯電話の画面に複数のショートメッセージを表示し、見せたいショートメッセージ以外、見せたくないショートメッセージも表示する。他方では、友人に携帯電話におけるピクチャーを見せる時、現在に表示しているピクチャー以外、友人は、意図せずに前方または後方にスライドさせることで、見せたくない他のピクチャーを見ることができる。これから分かるように、このアプリケーションシーンでは、相手が意図的に見ることではないが、現在のショートメッセージ、ピクチャーの表示形式によりプライバシー漏洩を引き起こす可能性がある。
【００２９】
これを鑑み、本発明はターゲットオブジェクトの表示方法を提供し、ターゲットオブジェクトに対してマルチタッチイベントの検出を行い、検出されたマルチタッチイベントが、ターゲットオブジェクトをプライベート表示モードに切り替えるトリガーとして働く予め設定された第１マルチタッチイベントであるか否かを判断し、検出されたマルチタッチイベントが第１マルチタッチイベントである場合、プライベート表示モードでターゲットオブジェクトのみを表示するように、ターゲットオブジェクトをプライベート表示モードに切り替えることにより、ユーザが簡単なマルチタッチ操作で迅速にターゲットオブジェクトをプライベート表示モードに切り替えることを実現し、ユーザが他のユーザにターゲットオブジェクトを表示するアプリケーションシーンにおいて発生可能があるプライバシー漏洩のリスクを減らすことができる。
【００３０】
図１に示すように、図１は一例示的な実施例により示された、端末に適用されるターゲットオブジェクトの表示方法であり、
ターゲットオブジェクトに対してマルチタッチイベントの検出を行うステップ１０１と、
検出されたマルチタッチイベントが、ターゲットオブジェクトをプライベート表示モードに切り替えるトリガーとして働く予め設定された第１マルチタッチイベントであるか否かを判断するステップ１０２と、
検出されたマルチタッチイベントが第１マルチタッチイベントである場合、プライベート表示モードでターゲットオブジェクトのみを表示するように、ターゲットオブジェクトをプライベート表示モードに切り替えるステップ１０３と、を含む。
【００３１】
上記端末は移動端末であり、例えばユーザのタッチスクリーンスマートフォンであってもよい。上記ターゲットオブジェクトは、テキストオブジェクト又はピクチャーオブジェクトであってもよく、例えば、上記ターゲットオブジェクトは、ユーザ端末におけるショートメッセージであってもよく、ユーザ端末におけるピクチャーであってもよい。もちろん、上記ターゲットオブジェクトは、テキストオブジェクト又はピクチャーオブジェクト以外、マルチメディアオブジェクト、ウィンドウオブジェクト等の、他のタイプの表示可能なターゲットオブジェクトであってもよく、例えば、上記ターゲットオブジェクトはユーザ端末内のアプリケーションのウィンドウやマルチメディア再生インターフェース等であってもよい。
【００３２】
本実施例では、ユーザは他のユーザへ端末内のターゲットオブジェクトを表示する場合、表示しようとするターゲットオブジェクトに対して特定のマルチタッチ操作を実行し、表示しようとするターゲットオブジェクトをプライベート表示モードに切り替えた後に表示する。
【００３３】
上記の特定なマルチタッチ操作は、予め設定されたマルチタッチ操作であってもよく、当該予め設定されたマルチタッチ操作は、ターゲットオブジェクトをプライベート表示モードに切り替えるトリガーとして働く第１マルチタッチ操作、及びターゲットオブジェクトをプライベート表示モードからデフォルト表示モードに回復させるトリガーとして働く第２マルチタッチ操作を含んでもよい。
【００３４】
上記第１マルチタッチ操作及び第２マルチタッチ操作はいずれも予め設定されたタッチ操作の組み合わせであってもよい。例えば、上記第１マルチタッチ操作はターゲットオブジェクトに対する選択操作及び当該選択操作が発生する時の拡大ジェスチャー操作を含んでもよい。上記第２マルチタッチ操作はターゲットオブジェクトに対する選択操作及び当該選択操作が発生する時の縮小ジェスチャー操作を含んでもよい。
【００３５】
そのうち、本実施例に例示した一実施形態では、当該選択操作は、当該ターゲットオブジェクトに対する長押し操作であってもよく、当該拡大ジェスチャー操作は、ユーザが当該ターゲットオブジェクトを長押しすることにより当該ターゲットオブジェクトを選択した時、画面の任意の位置に対して２本指を開く操作であってもよく、当該縮小ジェスチャー操作は、ユーザが当該ターゲットオブジェクトを長押しすることにより当該ターゲットオブジェクトを選択した時、画面の任意の位置に対して２本指を閉じる操作であってもよい。
【００３６】
以下、選択操作が長押し操作であり、拡大ジェスチャー操作が２本指を開く操作であり、縮小ジェスチャー操作が２本指を閉じる操作であることを例として、ユーザと端末とのジェスチャーインタラクションの過程を詳しく説明する。
【００３７】
本実施例では、ユーザが他のユーザへ端末上のターゲットオブジェクトを表示する場合、片手で当該ターゲットオブジェクトを長押しして当該ターゲットオブジェクトを選択することができ、ユーザが当該ターゲットオブジェクトを長押しする場合、プライベート表示モードで当該ターゲットオブジェクトのみを表示するように、他の片手で画面の任意の位置において２本指を開く操作を実行することをトリガーとして当該ターゲットオブジェクトをプライベート表示モードに切り替える。表示モード。
【００３８】
それと同時に、端末は、バックグランドでターゲットオブジェクトに対してマルチタッチイベントの検出をリアルタイムに行い、検出されたマルチタッチイベントが上記第１マルチタッチ操作に対応する第１マルチタッチイベントであるか否かを判断することができる。バックグランドでユーザの当該ターゲットオブジェクトに対する長押しイベントを検出し、当該長押しイベントの発生期間内に画面の任意の位置に対する２本指を開くイベントを検出した後、端末は、検出されたマルチタッチイベントが上記第１マルチタッチ操作に対応する第１マルチタッチイベントであると確定することができる。
【００３９】
端末は検出されたマルチタッチイベントが上記第１タッチイベントであると判断したことをトリガーとして、プライベート表示モードで当該ターゲットオブジェクトのみを表示するように、当該ターゲットオブジェクトをプライベート表示モードに切り替える。
【００４０】
そのうち、当該ターゲットオブジェクトをプライベート表示モードに切り替える場合、異なる方式で実現することができる。
【００４１】
示された一実現形態では、当該ターゲットオブジェクトをプライベート表示モードに切り替える場合、当該ターゲットオブジェクトを全画面表示してロック画面状態に保持することができる。ロック画面状態に保持する場合、端末はユーザの当該ターゲットオブジェクトに対する例えばクリック、上下左右スライド等のタッチ操作を応答しないことで、ユーザが他のユーザへ当該ターゲットオブジェクトを表示する過程において発生可能があるプライバシー漏洩のリスクを減らすことができる。
【００４２】
当該ターゲットオブジェクトを他のユーザへの表示が終了した後、ユーザは、片手にて当該ターゲットオブジェクトを長押しして当該ターゲットオブジェクトを選択することができ、ユーザが当該ターゲットオブジェクトを長押しする場合、他の片手で画面の任意の位置において２本指を閉じる操作を実行することをトリガーとして、当該ターゲットオブジェクトをプライベート表示モードからデフォルト表示モードに切り替えることができる。
【００４３】
それと同時に、端末は依然として、バックグランドでターゲットオブジェクトに対してマルチタッチイベントの検出をリアルタイムに行い、検出されたマルチタッチイベントが上記第２マルチタッチ操作に対応する第２マルチタッチイベントであるか否かを判断することができ、且つ当該長押しイベントの発生期間内に画面の任意の位置に対する２本指を閉じるイベントを検出した後、端末は、検出されたマルチタッチイベントが上記第２マルチタッチ操作に対応する第２マルチタッチイベントであると確定することができる。
【００４４】
端末は、検出されたマルチタッチイベントが上記第２マルチタッチイベントであると判断した場合、当該ターゲットオブジェクトをプライベート表示モードからデフォルト表示モードに切り替えることをトリガーとして、当該ターゲットオブジェクトを全画面表示から退出してロック画面状態を解除することができる。ロック画面状態を解除した後、端末は、ユーザの当該ターゲットオブジェクトに対する例えばクリック、上下スライド等のタッチ操作を正常に応答することができる。
【００４５】
例えば、ターゲットオブジェクトがユーザ端末のショートメッセージであると仮定し、ユーザが端末の当該ショートメッセージを他のユーザへ表示したい場合、当該ショートメッセージに対して上記長押し操作を行い、且つ当該ショートメッセージを長押しする時、他の片手にて当該ショートメッセージに対して２本指を開く操作を行って当該ショートメッセージをプライベート表示モードに切り替えることにより、当該ショートメッセージを全画面表示してロック画面状態に保持する。この時、端末は、当該他のユーザの当該ショートメッセージに対する例えばクリック、上下左右スライド等のタッチ操作を応答しないことで、同一なショートメッセージのチャットにおける他のショートメッセージに対して、当該他のユーザが見ることができず、プライバシー漏洩のリスクを減らすことができる。当該ショートメッセージの他のユーザへの表示が終了した後、ユーザは、当該ショートメッセージに対して上記長押し操作を行い、且つ当該ショートメッセージを長押しする時、他の片手で当該ショートメッセージに対して２本指を閉じる操作を行って当該ショートメッセージをデフォルト表示モードに切り替えることにより、当該ショートメッセージの全画面表示から退出してロック画面状態を解除する。ロック画面状態を解除した後、端末は、ユーザの当該ショートメッセージに対する例えばクリック、上下スライド等のタッチ操作を正常に応答することができる。
【００４６】
更に、例えば、ターゲットオブジェクトがユーザ端末のピクチャーであると仮定し、ユーザが端末の当該ピクチャーを他のユーザへ表示したい場合、当該ピクチャーに対して上記長押し操作を行い、且つ当該ピクチャーを長押しする時、他の片手で当該ピクチャーに対して２本指を開く操作を行って当該ピクチャーをプライベート表示モードに切り替えることにより、当該ピクチャーを全画面表示してロック画面状態に保持し、この時、端末は、当該他のユーザの当該ピクチャーに対する例えばクリック、上下左右スライド等のタッチ操作を応答しなくなり、従って、当該他のユーザが当該ピクチャーを見る時、当該ピクチャーを左右スライドすることで見せたくない他のピクチャーを見ることができないため、プライバシー漏洩のリスクを減らすことができる。ユーザは、当該ピクチャーの他のユーザへの表示を終了した後、当該ピクチャーに対して上記長押し操作を行い、当該ピクチャーを長押しする時、他の片手で当該ピクチャーに対して２本指を閉じる操作を行って当該ピクチャーをデフォルト表示モードに切り替えることにより、当該ピクチャーの全画面表示から退出してロック画面状態を解除する。ロック画面状態を解除した後、端末は、ユーザの当該ピクチャーに対する例えばクリック、上下スライド等のタッチ操作を正常に応答することができる。
【００４７】
示された別の実施形態では、当該ターゲットオブジェクトをプライベート表示モードに切り替える場合、プライベート表示インターフェースを予め作成し、当該ターゲットオブジェクトを予め作成したプライベート表示インターフェースに移動して表示することができる。そのうち、当該ターゲットオブジェクトを予め作成したプライベート表示インターフェースに移動して表示する時に、デフォルトの場合に、当該ターゲットオブジェクトを全画面表示する又は拡大表示することができる。
【００４８】
当該ターゲットオブジェクトを予め作成したプライベート表示インターフェースに移動した後、この時、端末は依然として、ユーザの当該ターゲットオブジェクトに対するタッチ操作を正常に応答することができ、ユーザは依然として当該ターゲットオブジェクトに対して２本指を開く又は２本指を閉じる操作を行うことにより当該ターゲットオブジェクトに対して対応する拡大及び縮小操作を行うことができる。さらに、当該ターゲットオブジェクトを表示するのみで、当該プライベート表示インターフェースが用いられるため、ユーザは当該ターゲットオブジェクトに対して上下左右スライド等の操作を行う場合、当該ターゲットオブジェクト以外の他のターゲットオブジェクトを見ることができず、それにより、ユーザが他のユーザへ当該ターゲットオブジェクトを表示する過程において、発生の可能性があるプライバシー漏洩のリスクを減らすことができる。
【００４９】
当該ターゲットオブジェクトの他のユーザへの表示が終了した後、ユーザは、片手で当該ターゲットオブジェクトを長押しして当該ターゲットオブジェクトを選択することができ、ユーザが当該ターゲットオブジェクトを長押しする場合、他の片手で画面の任意の位置において２本指を閉じる操作を実行することをトリガーとして、当該ターゲットオブジェクトをプライベート表示モードからデフォルト表示モードに切り替えることができる。
【００５０】
それと同時に、端末は依然として、バックグランドでターゲットオブジェクトに対してマルチタッチイベントの検出をリアルタイムに行い、検出されたマルチタッチイベントが上記第２マルチタッチ操作に対応する第２マルチタッチイベントであるか否かを判断することができ、当該長押しイベントの発生期間内に画面の任意の位置に対する２本指を閉じるイベントを検出した後、端末は、検出されたマルチタッチイベントが上記第２マルチタッチ操作に対応する第２マルチタッチイベントであると確定することができる。
【００５１】
端末は検出されたマルチタッチイベントが上記第２マルチタッチイベントであると判断したことをトリガーとして、当該ターゲットオブジェクトをプライベート表示モードからデフォルト表示モードに切り替えることができ、当該ターゲットオブジェクトをプライベート表示インターフェースから移出して当該プライベート表示インターフェースを閉じることができる。当該プライベート表示インターフェースを閉じた後、端末は当該ターゲットオブジェクトをデフォルト位置に移動することができる。
【００５２】
例えば、ターゲットオブジェクトがユーザ端末のショートメッセージであると仮定し、ユーザが端末の当該ショートメッセージを他のユーザに表示したい場合、当該ショートメッセージに対して上記長押し操作を行い、当該ショートメッセージを長押しする時、他の片手で当該ショートメッセージに対して２本指を開く操作を行って当該ショートメッセージをプライベート表示モードに切り替えることにより、当該ショートメッセージを予め作成したプライベート表示インターフェースに移動して表示し、この時、端末は、当該他のユーザの当該ショートメッセージに対する例えばクリック、上下左右スライド等のタッチ操作を正常に応答することができるが、当該プライベート表示インターフェースが当該ショートメッセージを表示するのみで用いられるため、同一なショートメッセージチャットにおける他のショートメッセージに対して、当該他のユーザが見ることができず、それによりプライバシー漏洩のリスクを減らすことができる。
【００５３】
当該ショートメッセージの他のユーザへの表示を終了した後、ユーザは、当該ショートメッセージに対して上記長押し操作を行い、当該ショートメッセージを長押しする時、他の片手で当該ショートメッセージに対して２本指を閉じる操作を行って当該ショートメッセージをデフォルト表示モードに切り替えることにより、当該ショートメッセージをプライベート表示インターフェースから移出して当該プライベート表示インターフェースを閉じることができる。当該プライベート表示インターフェースを閉じた後、端末は、当該ショートメッセージをそのショートメッセージチャットにおけるデフォルト位置に移動することができる。
【００５４】
更に、例えば、ターゲットオブジェクトがユーザ端末内のピクチャーであると仮定し、ユーザが端末内の当該ピクチャーを他のユーザへ表示したい場合、当該ピクチャーに対して上記長押し操作を行い、当該ピクチャーを長押しする時、他の片手で当該ピクチャーに対して２本指を開く操作を行って当該ピクチャーをプライベート表示モードに切り替えることにより、当該ピクチャーを予め作成したプライベート表示インターフェースに移動して表示することができ、この時、端末は、当該他のユーザの当該ピクチャーに対する例えばクリック、上下左右スライド等のタッチ操作を正常に応答することができるが、当該プライベート表示インターフェースが当該ピクチャーを表示するのみに用いられるため、当該他のユーザは当該ピクチャーを見る時、当該ピクチャーを左右スライドすることにより見せたくないピクチャーを見ることができず、それによりプライバシー漏洩のリスクを減らすことができる。
【００５５】
当該ピクチャーの他のユーザへの表示を終了した後、ユーザは、当該ピクチャーに対して上記長押し操作を行い、当該ピクチャーを長押しする時、他の片手で当該ピクチャーに対して２本指を閉じる操作を行って当該ピクチャーをデフォルト表示モードに切り替えることにより、当該ピクチャーをプライベート表示インターフェースから移出して当該プライベート表示インターフェースを閉じることができる。当該プライベート表示インターフェースを閉じた後、端末は、当該ピクチャーをアルバムにおけるデフォルト位置に移動することができる。
【００５６】
以上、選択操作が長押し操作であり、拡大ジェスチャー操作が２本指を開く操作であり、縮小ジェスチャー操作が２本指を閉じる操作であることを例として、ユーザと端末とのジェスチャーインタラクションの過程を詳しく説明した。もちろん、実際の応用において、上記拡大ジェスチャー操作は、他のタイプのジェスチャー操作として定義されてもよく、本実施例では特に限定されない。
【００５７】
例えば、当該拡大ジェスチャー操作は、ユーザが当該ターゲットオブジェクトを長押することで当該ターゲットオブジェクトを選択する場合、画面の任意の第１方向に対するスライド操作又は画面の任意の位置に対するダブルクリック操作であってもよく、即ち、ユーザが当該ターゲットオブジェクトを長押しすることで当該ターゲットオブジェクトを選択する場合、画面の第１方向へ当該ターゲットオブジェクトをスライド又はダブルクリックすることにより、当該ターゲットオブジェクトをプライベート表示モードに切り替えることができ、当該縮小ジェスチャー操作は、ユーザが当該ターゲットオブジェクトを長押しすることで当該ターゲットオブジェクトを選択する場合、画面の第２方向に対するスライド操作又は画面の任意の位置に対するダブルクリック操作であってもよく、即ち、当該ターゲットオブジェクトをプライベート表示モードに切り替えた後、画面の第２方向へ当該ターゲットオブジェクトをスライド又はダブルクリックすることにより、当該ターゲットオブジェクトをプライベート表示モードからデフォルト表示モードに切り替えることができる。そのうち、第１方向及び第２方向は、それぞれ画面の異なる方向に対応してもよく、例えば第１方向が左向きであってもよく、第２方向は右向きであってもよい。
【００５８】
以上の実施例では、ターゲットオブジェクトに対してマルチタッチイベントの検出を行い、検出されたマルチタッチイベントが、ターゲットオブジェクトをプライベート表示モードに切り替えるトリガーとして働くように配置される、予め設定された第１マルチタッチイベントであるか否かを判断し、検出されたマルチタッチイベントが第１マルチタッチイベントである場合、プライベート表示モードでターゲットオブジェクトのみを表示するように、ターゲットオブジェクトをプライベート表示モードに切り替えることにより、ユーザが簡単なマルチタッチ操作で迅速にターゲットオブジェクトをプライベート表示モードに切り替えることを実現し、ユーザが他のユーザへ当該ターゲットオブジェクトを表示するアプリケーションシーンにおいて、発生の可能性があるプライバシー漏洩のリスクを減らすことができる。
【００５９】
そして、マルチタッチ操作をトリガーとして利用してターゲットオブジェクトをプライベート表示モードに切り替えることは、操作が簡単だけでなく、通常のシングルタッチ操作でターゲットオブジェクトをプライベート表示モードに切り替えるトリガーを行う場合、発生の可能性があるセマンティクスの衝突の問題を避けることができる。例えば、通常のシングルタッチ操作、例えばシングルクリック、ダブルクリック、長押し等の操作は、通常、端末のシステムにおいて特定のセマンティクスとして定義されたため、通常のシングルタッチ操作をトリガーとしてターゲットオブジェクトをプライベート表示モードに切り替えることは、端末システムにおける既存のセマンティクスと衝突する恐れがある。
【００６０】
図２に示すように、図２は一例示的な実施例により示された、端末に適用されるターゲットオブジェクトの表示方法であり、
ターゲットオブジェクトに対してマルチタッチイベントの検出を行うステップ２０１と、
検出されたマルチタッチイベントが予め設定された第１マルチタッチイベントであるか否かを判断するステップ２０２と、
検出されたマルチタッチイベントが第１マルチタッチイベントである場合、ターゲットオブジェクトを予め設定されたプライベート表示インターフェースに移動して表示し、又はターゲットオブジェクトを全画面表示してロック画面状態に保持するステップ２０３と、
ターゲットオブジェクトを予め設定されたプライベート表示インターフェースに移動して全画面表示し、又はターゲットオブジェクトを全画面表示してロック画面状態に保持した後、ターゲットオブジェクトに対してマルチタッチイベントの検出を行うステップ２０４と、
検出されたマルチタッチイベントが予め設定された第２マルチタッチイベントであるか否かを判断するステップ２０５と、
検出されたマルチタッチイベントが第２マルチタッチイベントである場合、ターゲットオブジェクトを予め設定されたプライベート表示インターフェースから移出して予め設定されたプライベート表示インターフェースを閉じ、又はターゲットオブジェクトの全画面表示を退出してロック画面状態を解除するステップ２０６と、を含む。
【００６１】
上記端末は移動端末であってもよく、例えば、端末はユーザのタッチスクリーンスマートフォンであってもよい。上記ターゲットオブジェクトは、テキストオブジェクト又はピクチャーオブジェクトであってもよく、例えば、上記ターゲットオブジェクトは、ユーザ端末内のショートメッセージであってもよく、ユーザ端末内のピクチャーであってもよい。もちろん、上記ターゲットオブジェクトは、テキストオブジェクト又はピクチャーオブジェクト以外、マルチメディアオブジェクト、ウィンドウオブジェクト等の、他のタイプの表示可能なターゲットオブジェクトであってもよく、例えば、上記ターゲットオブジェクトはユーザ端末内のアプリケーションのウィンドウやマルチメディア再生インターフェース等であってもよい。
【００６２】
本実施例では、ユーザは他のユーザへ端末内のターゲットオブジェクトを表示する場合、表示しようとするターゲットオブジェクトに対して特定のマルチタッチ操作を実行し、表示しようとするターゲットオブジェクトをプライベート表示モードに切り替えた後に表示する。
【００６３】
上記の特定なマルチタッチ操作は、予め設定されたマルチタッチ操作であってもよく、当該予め設定されたマルチタッチ操作は、ターゲットオブジェクトをプライベート表示モードに切り替えるトリガーとして働く第１マルチタッチ操作、及びターゲットオブジェクトをプライベート表示モードからデフォルト表示モードに回復させるトリガーとして働く第２マルチタッチ操作を含んでもよい。
【００６４】
上記第１マルチタッチ操作及び第２マルチタッチ操作はいずれも予め設定されたタッチ操作の組み合わせであってもよい。例えば、上記第１マルチタッチ操作はターゲットオブジェクトに対する選択操作及び当該選択操作が発生する時の拡大ジェスチャー操作を含んでもよい。上記第２マルチタッチ操作はターゲットオブジェクトに対する選択操作及び当該選択操作が発生する時の縮小ジェスチャー操作を含んでもよい。
【００６５】
そのうち、本実施例に例示された一実施形態では、当該選択操作は、当該ターゲットオブジェクトに対する長押し操作であってもよく、当該拡大ジェスチャー操作は、ユーザが当該ターゲットオブジェクトを長押しすることにより当該ターゲットオブジェクトを選択した時、画面の任意の位置に対して２本指を開く操作であってもよく、当該縮小ジェスチャー操作は、ユーザが当該ターゲットオブジェクトを長押しすることにより当該ターゲットオブジェクトを選択した時、画面の任意の位置に対して２本指を閉じる操作であってもよい。
【００６６】
以下、選択操作が長押し操作であり、拡大ジェスチャー操作が２本指を開く操作であり、縮小ジェスチャー操作が２本指を閉じる操作であることを例として、ユーザと端末とのジェスチャーインタラクションの過程を詳しく説明する。
【００６７】
本実施例では、ユーザが他のユーザへ端末内のターゲットオブジェクトを表示する場合、片手で当該ターゲットオブジェクトを長押しして当該ターゲットオブジェクトを選択することができ、ユーザが当該ターゲットオブジェクトを長押しする場合、プライベート表示モードで当該ターゲットオブジェクトのみを表示するように、他の片手で画面の任意の位置において２本指を開く操作を実行することをトリガーとして、当該ターゲットオブジェクトをプライベート表示モードに切り替える。
【００６８】
それと同時に、端末は、バックグランドでターゲットオブジェクトに対してマルチタッチイベントの検出をリアルタイムに行い、検出されたマルチタッチイベントが上記第１マルチタッチ操作に対応する第１マルチタッチイベントであるか否かを判断することができ、バックグランドでユーザの当該ターゲットオブジェクトに対する長押しイベントを検出し、当該長押しイベントの発生期間内に画面の任意の位置に対する２本指を開くイベントを検出した後、端末は、検出されたマルチタッチイベントが上記第１マルチタッチ操作に対応する第１マルチタッチイベントであると確定することができる。
【００６９】
端末は、検出されたマルチタッチイベントが上記第１タッチイベントであると判断したことをトリガーとして、プライベート表示モードで当該ターゲットオブジェクトのみを表示するように、当該ターゲットオブジェクトをプライベート表示モードに切り替える。
【００７０】
そのうち、当該ターゲットオブジェクトをプライベート表示モードに切り替える場合、異なる方式で実現することができる。
【００７１】
示された一実現形態では、当該ターゲットオブジェクトをプライベート表示モードに切り替える場合、当該ターゲットオブジェクトを全画面表示してロック画面状態に保持することができる。ロック画面状態に保持する場合、端末はユーザの当該ターゲットオブジェクトに対する例えばクリック、上下左右スライド等のタッチ操作を応答しなくなり、それにより、ユーザが他のユーザへ当該ターゲットオブジェクトを表示する過程において、発生の可能性があるプライバシー漏洩のリスクを減らすことができる。
【００７２】
当該ターゲットオブジェクトの他のユーザへの表示を終了した後、ユーザは、片手で当該ターゲットオブジェクトを長押しして当該ターゲットオブジェクトを選択することができ、ユーザが当該ターゲットオブジェクトを長押しする場合、他の片手で画面の任意の位置に対して２本指を閉じる操作を実行することにより、当該ターゲットオブジェクトをプライベート表示モードからデフォルト表示モードに切り替えることができる。
【００７３】
それと同時に、端末は依然として、バックグランドでターゲットオブジェクトに対してマルチタッチイベントの検出をリアルタイムに行い、検出されたマルチタッチイベントが上記第２マルチタッチ操作に対応する第２マルチタッチイベントであるか否かを判断することができ、当該長押しイベントの発生期間内に画面の任意の位置に対する２本指を閉じるイベントを検出した後、端末は、検出されたマルチタッチイベントが上記第２マルチタッチ操作に対応する第２マルチタッチイベントであると確定することができる。
【００７４】
端末は、検出されたマルチタッチイベントが上記第２マルチタッチイベントであると判断したことをトリガーとして、当該ターゲットオブジェクトをプライベート表示モードからデフォルト表示モードに切り替え、当該ターゲットオブジェクトの全画面表示から退出してロック画面状態を解除することができる。端末は、ロック画面状態を解除した後、ユーザの当該ターゲットオブジェクトに対する例えばクリック、上下スライド等のタッチ操作を正常に応答することができる。
【００７５】
例えば、図３を参照し、ターゲットオブジェクトがユーザ端末内のショートメッセージであると仮定し、ユーザが端末内の当該ショートメッセージを他のユーザへ表示したい場合、当該ショートメッセージに対して上記長押し操作を行い、当該ショートメッセージを長押しする時、他の片手で当該ショートメッセージに対して２本指を開く操作を行って当該ショートメッセージをプライベート表示モードに切り替えることにより、当該ショートメッセージを全画面表示してロック画面状態に保持し、この時、端末は、当該他のユーザの当該ショートメッセージに対する例えばクリック、上下左右スライド等のタッチ操作を応答しなくなり、従って、同一なショートメッセージチャットにおける他のショートメッセージに対して、当該他のユーザが見ることができず、これにより、プライバシー漏洩のリスクを減らすことができる。
【００７６】
図４を参照し、当該ショートメッセージの他のユーザへの表示が終了した後、ユーザは、当該ショートメッセージに対して上記長押し操作を行い、当該ショートメッセージを長押しする時、他の片手で当該ショートメッセージに対して２本指を閉じる操作を行って当該ショートメッセージをデフォルト表示モードに切り替えることにより、当該ショートメッセージの全画面表示から退出してロック画面状態を解除する。ロック画面状態を解除した後、端末は、ユーザの当該ショートメッセージに対する例えばクリック、上下スライド等のタッチ操作を正常に応答することができる。
【００７７】
更に例えば、図５を参照し、ターゲットオブジェクトがユーザ端末上のピクチャーであると仮定し、ユーザが端末上の当該ピクチャーを他のユーザへ表示したい場合、当該ピクチャーに対して上記長押し操作を行い、当該ピクチャーを長押しする時、他の片手で当該ピクチャーに対して２本指を開く操作を行って当該ピクチャーをプライベート表示モードに切り替えることにより、当該ピクチャーを全画面表示してロック画面状態に保持し、この時、端末は、当該他のユーザの当該ピクチャーに対する例えばクリック、上下左右スライド等のタッチ操作を応答しなくなり、従って、当該他のユーザが当該ピクチャーを見る時、当該ピクチャーを左右スライドすることで見せたくない他のピクチャーを見ることができず、それによりプライバシー漏洩のリスクを減らすことができる。
【００７８】
図６を参照し、当該ピクチャーの他のユーザへの表示を終了した後、ユーザは、当該ピクチャーに対して上記長押し操作を行い、当該ピクチャーを長押しする時、他の片手で当該ピクチャーに対して２本指を閉じる操作を行って当該ピクチャーをデフォルト表示モードに切り替えることにより、当該ピクチャーの全画面表示から退出してロック画面状態を解除する。ロック画面状態を解除した後、端末は、ユーザの当該ピクチャーに対する例えばクリック、上下スライド等のタッチ操作を正常に応答することができる。
【００７９】
示された別の一実現形態では、当該ターゲットオブジェクトをプライベート表示モードに切り替える場合は、プライベート表示インターフェースを予め作成することができ、当該ターゲットオブジェクトを予め作成したプライベート表示インターフェースに移動して表示する。そのうち、当該ターゲットオブジェクトを予め作成したプライベート表示インターフェースに移動して表示する時に、デフォルトの場合に、当該ターゲットオブジェクトを全画面表示する又は拡大表示することができる。
【００８０】
当該ターゲットオブジェクトを予め作成したプライベート表示インターフェースに移動した後、この時、端末は依然として、ユーザの当該ターゲットオブジェクトに対するタッチ操作を正常に応答することができ、ユーザは依然として当該ターゲットオブジェクトに対して２本指を開く又は２本指を閉じる操作を行うことにより当該ターゲットオブジェクトに対して対応する拡大及び縮小操作を行うことができる。さらに、当該プライベート表示インターフェースが当該ターゲットオブジェクトを表示するのみに用いられるため、ユーザは当該ターゲットオブジェクトに対して上下左右スライド等の操作を行う場合、当該ターゲットオブジェクト以外の他のターゲットオブジェクトを見ることができず、それにより、ユーザが他のユーザへ当該ターゲットオブジェクトを表示する過程において、発生の可能性があるプライバシー漏洩のリスクを減らすことができる。
【００８１】
当該ターゲットオブジェクトの他のユーザへの表示を終了した後、ユーザは、片手で当該ターゲットオブジェクトを長押しして当該ターゲットオブジェクトを選択することができ、ユーザが当該ターゲットオブジェクトを長押しする場合、他の片手で画面の任意の位置に対して２本指を閉じる操作を実行することにより、当該ターゲットオブジェクトをプライベート表示モードからデフォルト表示モードに切り替えることができる。
【００８２】
それと同時に、端末は依然として、バックグランドでターゲットオブジェクトに対してマルチタッチイベントの検出をリアルタイムに行い、検出されたマルチタッチイベントが上記第２マルチタッチ操作に対応する第２マルチタッチイベントであるか否かを判断することができ、当該長押しイベントの発生期間内に画面の任意の位置に対する２本指を閉じるイベントを検出した後、端末は、検出されたマルチタッチイベントが上記第２マルチタッチ操作に対応する第２マルチタッチイベントであると確定することができる。
【００８３】
端末は、検出されたマルチタッチイベントが上記第２マルチタッチイベントであると判断したとトリガーとして、当該ターゲットオブジェクトをプライベート表示モードからデフォルト表示モードに切り替えることができ、当該ターゲットオブジェクトをプライベート表示インターフェースから移出して当該プライベート表示インターフェースを閉じることができる。当該プライベート表示インターフェースを閉じた後、端末は当該ターゲットオブジェクトをデフォルト位置に移動することができる。
【００８４】
例えば、ターゲットオブジェクトがユーザ端末内のショートメッセージであると仮定し、ユーザが端末内の当該ショートメッセージを他のユーザへ表示したい場合、当該ショートメッセージに対して上記長押し操作を行い、当該ショートメッセージを長押しする時、他の片手で当該ショートメッセージに対して２本指を開く操作を行って当該ショートメッセージをプライベート表示モードに切り替えることにより、当該ショートメッセージを予め作成したプライベート表示インターフェースに移動して表示し、この時、端末は、当該他のユーザの当該ショートメッセージに対する例えばクリック、上下左右スライド等のタッチ操作を正常に応答することができるが、当該プライベート表示インターフェースが当該ショートメッセージを表示するのみに用いられるため、同一なショートメッセージチャットにおける他のショートメッセージに対して、当該他のユーザが見ることができず、それによりプライバシー漏洩のリスクを減らすことができる。
【００８５】
当該ショートメッセージの他のユーザへの表示を終了した後、ユーザは、当該ショートメッセージに対して上記長押し操作を行い、当該ショートメッセージを長押しする時、他の片手で当該ショートメッセージに対して２本指を閉じる操作を行って当該ショートメッセージをデフォルト表示モードに切り替えることにより、当該ショートメッセージをプライベート表示インターフェースから移出して当該プライベート表示インターフェースを閉じることができる。当該プライベート表示インターフェースを閉じた後、端末は、当該ショートメッセージをそのショートメッセージチャットにおけるデフォルト位置に移動することができる。
【００８６】
更に、例えば、ターゲットオブジェクトがユーザ端末内のピクチャーであると仮定し、ユーザが端末内の当該ピクチャーを他のユーザへ表示したい場合、当該ピクチャーに対して上記長押し操作を行い、当該ピクチャーを長押しする時、他の片手で当該ピクチャーに対して２本指を開く操作を行って当該ピクチャーをプライベート表示モードに切り替え、当該ピクチャーを予め作成したプライベート表示インターフェースに移動して表示することができ、この時、端末は、当該他のユーザの当該ピクチャーに対する例えばクリック、上下左右スライド等のタッチ操作を正常に応答することができるが、当該プライベート表示インターフェースが当該ピクチャーを表示するのみに用いられるため、当該他のユーザは当該ピクチャーを見る時、当該ピクチャーを左右スライドすることで見せたくないピクチャーを見ることができず、それによりプライバシー漏洩のリスクを減らすことができる。
【００８７】
当該ピクチャーの他のユーザへの表示を終了した後、ユーザは、当該ピクチャーに対して上記長押し操作を行い、当該ピクチャーを長押しする時、他の片手で当該ピクチャーに対して２本指を閉じる操作を行って当該ピクチャーをデフォルト表示モードに切り替え、当該ピクチャーをプライベート表示インターフェースから移出して当該プライベート表示インターフェースを閉じることができる。当該プライベート表示インターフェースを閉じた後、端末は、当該ピクチャーをアルバムにおけるデフォルト位置に移動することができる。
【００８８】
以上、選択操作が長押し操作であり、拡大ジェスチャー操作が２本指を開く操作であり、縮小ジェスチャー操作が２本指を閉じる操作であることを例として、ユーザと端末とのジェスチャーインタラクションの過程を詳しく説明する。もちろん、実際の応用において、上記拡大ジェスチャー操作は、他のタイプのジェスチャー操作として定義されてもよく、本実施例では特に限定されない。
【００８９】
例えば、当該拡大ジェスチャー操作は、ユーザが当該ターゲットオブジェクトを長押することで当該ターゲットオブジェクトを選択する場合の、画面の任意の第１方向に対するスライド操作又は画面の任意の位置に対するダブルクリック操作であってもよく、即ち、ユーザが当該ターゲットオブジェクトを長押しすることで当該ターゲットオブジェクトを選択する場合、画面の第１方向へ当該ターゲットオブジェクトをスライド又はダブルクリックすることにより、当該ターゲットオブジェクトをプライベート表示モードに切り替えることができる。当該縮小ジェスチャー操作は、ユーザが当該ターゲットオブジェクトを長押しすることで当該ターゲットオブジェクトを選択する場合の、画面の第２方向に対するスライド操作又は画面の任意の位置に対するダブルクリック操作であってもよく、即ち、当該ターゲットオブジェクトをプライベート表示モードに切り替えた後、画面の第２方向へ当該ターゲットオブジェクトをスライド又はダブルクリックすることにより、当該ターゲットオブジェクトをプライベート表示モードからデフォルト表示モードに切り替えることができる。そのうち、第１方向及び第２方向は、それぞれ画面の異なる方向に対応してもよく、例えば第１方向は左向きであってもよく、第２方向は右向きであってもよい。
【００９０】
以上の実施例では、ターゲットオブジェクトに対してマルチタッチイベントの検出を行い、検出されたマルチタッチイベントがターゲットオブジェクトをプライベート表示モードに切り替えるトリガーとして働く予め設定された第１マルチタッチイベントであるか否かを判断し、検出されたマルチタッチイベントが第１マルチタッチイベントである場合、ターゲットオブジェクトをプライベート表示モードに切り替えることにより、プライベート表示モードでターゲットオブジェクトのみを表示し、それにより、ユーザが簡単なマルチタッチ操作で迅速にターゲットオブジェクトをプライベート表示モードに切り替えることを実現し、ユーザが他のユーザへ当該ターゲットオブジェクトを表示するアプリケーションシーンにおいて、発生の可能性があるプライバシー漏洩のリスクを減らすことができる。
【００９１】
そして、マルチタッチ操作をトリガーとして利用してターゲットオブジェクトをプライベート表示モードに切り替えることは、操作が簡単であるだけでなく、通常のシングルタッチ操作を、ターゲットオブジェクトをプライベート表示モードに切り替えるトリガーとする場合、発生の可能性があるセマンティクス衝突の問題を避けることができる。例えば、通常のシングルタッチ操作、例えばシングルクリック、ダブルクリック、長押し等の操作は、通常、端末のシステムにおいて特定のセマンティクスとして定義されたため、通常のシングルタッチ操作を、ターゲットオブジェクトをプライベート表示モードに切り替えるトリガーとすることは、端末システムにおける既存のセマンティクスと衝突する恐れがある。
【００９２】
ターゲットオブジェクトの表示方法の実施例に対応して、本発明は装置の実施例を更に提供する。
【００９３】
図７は一例示的な実施例により示されたターゲットオブジェクトの表示装置の概略ブロック図である。
【００９４】
図７に示すように、一例示的な実施例により示されたターゲットオブジェクトの表示装置７００は、第１検出モジュール７０１、第１判断モジュール７０２及び第１切り替えモジュール７０３を備え、そのうち、
第１検出モジュール７０１は、ターゲットオブジェクトに対してマルチタッチイベントの検出を行うように配置され、
第１判断モジュール７０２は、第１検出モジュール７０１が検出したマルチタッチイベントが予め設定された第１マルチタッチイベントであるか否かを判断するように配置され、第１マルチタッチイベントが、ターゲットオブジェクトをプライベート表示モードに切り替えるトリガーとして働くように配置され、
第１切り替えモジュール７０３は、第１判断モジュール７０２が検出されたマルチタッチイベントが予め設定された第１マルチタッチイベントであると判断した場合、プライベート表示モードでターゲットオブジェクトのみを表示するように、ターゲットオブジェクトをプライベート表示モードに切り替えるように配置される。
【００９５】
以上の実施例では、ターゲットオブジェクトに対してマルチタッチイベントの検出を行い、検出されたマルチタッチイベントがターゲットオブジェクトをプライベート表示モードに切り替えるトリガーとして働くように配置される予め設定された第１マルチタッチイベントであるか否かを判断し、検出されたマルチタッチイベントが第１マルチタッチイベントである場合、プライベート表示モードでターゲットオブジェクトのみを表示するように、ターゲットオブジェクトをプライベート表示モードに切り替えることにより、ユーザが簡単なマルチタッチ操作で迅速にターゲットオブジェクトをプライベート表示モードに切り替えることを実現し、ユーザが他のユーザへ当該ターゲットオブジェクトを表示するアプリケーションシーンにおいて、発生の可能性があるプライバシー漏洩のリスクを減らすことができる。
【００９６】
図８を参照し、図８は本発明の一例示的な実施例により示された別の装置のブロック図であり、当該実施例は図７の実施例に基づくものであり、装置７００は、第２検出モジュール７０４、第２判断モジュール７０５及び第２切り替えモジュール７０６を更に備えてもよく、そのうち、
第２検出モジュール７０４は、第１切り替えモジュール７０３がターゲットオブジェクトをプライベート表示モードに切り替えた後、ターゲットオブジェクトに対してマルチタッチイベントの検出を行うように配置され、
第２判断モジュール７０５は、第２検出モジュール７０４が検出したマルチタッチイベントが予め設定された第２マルチタッチイベントであるか否かを判断するように配置され、第２マルチタッチイベントが、ターゲットオブジェクトをプライベート表示モードからデフォルト表示モードに回復させるトリガーとして働くように配置され、
第２切り替えモジュール７０６は、第２判断モジュール７０４が検出したマルチタッチイベントが第２マルチタッチイベントである場合、ターゲットオブジェクトをプライベート表示モードからデフォルト表示モードに切り替えるように配置される。
【００９７】
図９を参照し、図９は本発明の一例示的な実施例により示された別の装置のブロック図であり、当該実施例は図７に示す実施例に基づくものであり、第１切り替えモジュール７０３は、第１表示サブモジュール７０３Ａを更に備えてもよく、そのうち、第１表示サブモジュール７０３Ａは、ターゲットオブジェクトを予め設定されたプライベート表示インターフェースに移動して表示するように配置される。
【００９８】
なお、上記図９に示す装置の実施例に示された第１表示サブモジュール７０３Ａの構造は上記図８の装置の実施例に含まれてもよく、本発明はこれを特に限定しない。
【００９９】
図１０を参照し、図１０は本発明の一例示的な実施例により示された別の装置のブロック図であり、当該実施例は図８に示す実施例に基づくものであり、第２切り替えモジュール７０４は、クローズサブモジュール７０４Ａを備えてもよく、そのうち、
クローズサブモジュール７０４Ａは、ターゲットオブジェクトを予め設定されたプライベート表示インターフェースから移出して上記予め設定されたプライベート表示インターフェースを閉じるように配置される。
【０１００】
上記図１０に示す装置の実施例に示されたクローズサブモジュール７０４Ａの構造は上記図７又は図９の装置の実施例に含まれてもよく、本発明はこれを特に限定しない。
【０１０１】
図１１を参照し、図１１は本発明の一例示的な実施例により示された別の装置のブロック図であり、当該実施例は図７に示す実施例に基づくものであり、第１切り替えモジュール７０３は、第２表示サブモジュール７０３Ｂを備えてもよく、そのうち、
第２表示サブモジュール７０３Ｂは、ターゲットオブジェクトを全画面表示してロック画面状態に保持するように配置される。
【０１０２】
なお、上記図１１に示す装置の実施例に示された第２表示サブモジュール７０３Ｂの構造は図８〜１０の装置の実施例に含まれてもよく、本発明はこれを特に限定しない。
【０１０３】
図１２を参照し、図１２は本発明の一例示的な実施例により示された別の装置のブロック図であり、当該実施例は上記図８に示す実施例に基づくものであり、上記第２切り替えモジュール７０４は、退出サブモジュール７０４Ｂを備えてもよく、そのうち、
退出サブモジュール７０４Ｂは、ターゲットオブジェクトの全画面表示から退出してロック画面状態を解除するように配置される。
【０１０４】
なお、上記図１２に示す装置の実施例に示された退出サブモジュール７０４Ｂの構造は図７又は図９〜１１の装置の実施例に含まれてもよく、本発明はこれを特に限定しない。
【０１０５】
以上の実施例では、第１検出モジュール７０１が検出した第１マルチタッチイベントは、ターゲットオブジェクトに対する第１選択イベント及び拡大ジェスチャーイベントを含み、第１選択イベントの発生期間内に拡大ジェスチャーイベントの発生期間を含む。
【０１０６】
第２検出モジュール７０４が検出した第２マルチタッチイベントは、ターゲットオブジェクトに対する第２選択イベント及び縮小ジェスチャーイベントを含み、第２選択イベントの発生期間内に縮小ジェスチャーイベントの発生期間を含む。
【０１０７】
第１検出モジュール７０１が検出した第１選択イベント及び第２検出モジュール７０４が検出した第２選択イベントは、いずれも長押しイベントを含み、第１検出モジュール７０１が検出した拡大ジェスチャーイベントは画面の任意の位置に対して２本指を開くイベントを含み、第２検出モジュール７０４が検出した縮小ジェスチャーイベントは画面の任意の位置に対して２本指を閉じるイベントを含む。
【０１０８】
第１検出モジュール７０１及び第２検出モジュール７０４が検出するターゲットオブジェクトは、画像オブジェクト又はテキストオブジェクトを含む。
【０１０９】
上記装置における各モジュールの機能及び作用の実現過程は、具体的に上記方法における対応するステップの実現過程を参照し、ここで繰り返して説明しない。
【０１１０】
装置の実施例に対して、それは基本的に方法の実施例に対応するため、関連する部分が方法の実施例の部分の説明を参照すればよい。以上説明した装置の実施例は例示的なものに過ぎず、そのうち、分離部材として説明したモジュールは物理的な分離であってもよいし、物理的な分離ではなくてもよく、モジュールとして表示した部材は物理的なモジュールであってもよいし、物理的なモジュールではなくてもよく、すなわち１つの箇所に位置してもよいし、複数のネットワークユニットに分布してもよい。実際の必要に応じて、そのうちの一部又は全部のモジュールを選択して本発明の解決手段の目的を達成することができる。そのうちの一部又は全部のモジュールで本発明の解決手段の目的を達成することができる。当業者であれば、進歩的な労働を必要とせずに、理解して実施することができる。
【０１１１】
それに応じて、本発明はターゲットオブジェクトの表示装置を更に提供し、当該装置は、
プロセッサと、
プロセッサにより実行可能なコマンドを記憶するためのメモリーと、を備え、
そのうち、プロセッサは、
ターゲットオブジェクトに対してマルチタッチイベントの検出を行い、
検出されたマルチタッチイベントが予め設定された第１マルチタッチイベントであるか否かを判断し、第１マルチタッチイベントをトリガーとしてターゲットオブジェクトをプライベート表示モードに切り替えるように配置され、
検出されたマルチタッチイベントが第１マルチタッチイベントである場合、プライベート表示モードでターゲットオブジェクトのみを表示するように、ターゲットオブジェクトをプライベート表示モードに切り替えるように配置される。
【０１１２】
それに対応して、本発明は端末を更に提供し、当該端末は、メモリーと、１つ又は１つ以上のプログラムとを備え、そのうち、１つ又は１つ以上のプログラムはメモリーに記憶され、且つ、１つ又は１つ以上のプロセッサにより、下記操作を実行するためのコマンドを含む１つ又は１つ以上のプログラムを実行するように配置される。これらの操作は、
ターゲットオブジェクトに対してマルチタッチイベントの検出を行うこと、
検出されたマルチタッチイベントが予め設定された第１マルチタッチイベントであるか否かを判断し、第１マルチタッチイベントをトリガーとしてターゲットオブジェクトをプライベート表示モードに切り替えるように配置されること、
検出されたマルチタッチイベントが第１マルチタッチイベントである場合、プライベート表示モードでターゲットオブジェクトのみを表示するように、ターゲットオブジェクトをプライベート表示モードに切り替えるである。
【０１１３】
図１３は一例示的な実施例により示された別のターゲットオブジェクトの表示装置の構成模式図である。
【０１１４】
図１３に示すように、一例示的な実施例により示されたターゲットオブジェクトの表示装置１３００は、携帯電話、コンピュータ、デジタル放送端末、メッセージ送受信装置、ゲームコンソール、タブレット端末、医療機器、フィットネス機器、パーソナル・デジタル・アシスタント等であってもよい。
【０１１５】
図１３を参照して、装置１３００は、処理部１３０１、メモリー１３０２、電源部１３０３、マルチメディア部１３０４、オーディオ部１３０５、入力／出力（Ｉ／Ｏ）インターフェース１３０６、センサー部１３１７、及び通信部１３１８の一つ又は複数の部品を含むことができる。
【０１１６】
処理部１３０１は、一般的に装置１３００の全体的操作、例えば、表示、電話の呼び出し、データ通信、カメラ操作と記録操作に係る操作を制御する。処理部１３０１は、上記方法の全部又は一部のステップを完成するように、コマンドを実行する一つ又は複数のプロセッサ１３０９を含むことができる。なお、処理部１３０１は、その他の部品との間のインタラクションを行うための一つ又は複数のモジュールを含むことができる。例えば、処理部１３０１は、マルチメディア部１３０４と処理部１３０１とのインタラクションを行うマルチメディアモジュールを含むことができる。
【０１１７】
メモリー１３０２は、装置１３００における操作を支持するように様々な種類のデータを記憶するように構成される。これらのデータの例は、装置１３００に操作される全てのアプリケーションプログラム又は方法のコマンド、連絡先データ、電話帳データ、メッセージ、ピクチャー、ビデオなどを含む。メモリー１３０２は、全ての種類の揮発性又は不揮発性メモリー又はそれらの組み合わせ、例えば、スタティックランダムアクセスメモリー（ＳＲＡＭ、ｓｔａｔｉｃ  ｒａｎｄｏｍ  ａｃｃｅｓｓ  ｍｅｍｏｒｙ）、電気的消去可能なプログラム可能な読み取り専用メモリー（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能なプログラム可能な読み取り専用メモリー（ＥＰＲＯＭ、Ｅｒａｓａｂｌｅ  Ｐｒｏｇｒａｍｍａｂｌｅ  Ｒｅａｄ  Ｏｎｌｙ  Ｍｅｍｏｒｙ）、プログラム可能な読み取り専用メモリー（ＰＲＯＭ、Ｐｒｏｇｒａｍｍａｂｌｅ  Ｒｅａｄ  Ｏｎｌｙ  Ｍｅｍｏｒｙ）、読み取り専用メモリー（ＲＯＭ、Ｒｅａｄ  Ｏｎｌｙ  Ｍｅｍｏｒｙ）、磁気メモリー、フラッシュメモリー、磁気ディスク又は光ディスクにより実現することができる。
【０１１８】
電源部１３０３は、装置１３００の様々な部品へ電力を提供する。電源部１３０３は、電源管理システム、一つ又は複数の電源、及びその他の装置１３００に対する電力の生成、管理及び供給に関連する部品を含むことができる。
【０１１９】
マルチメディア部１３０４は、装置１３００とユーザとの間の出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザからの入力信号を受信するように、スクリーンがタッチパネルとして実現してもいい。タッチパネルは、タッチ、スワイプ及びタッチパネルに対するジェスチャーを検知するための一つ又は複数のタッチセンサーを含む。タッチセンサーは、タッチ又はスワイプ動作の境界を検知するのみでなく、上記タッチ又はスワイプの動作に関連する持続時間及び圧力を検出することができる。一部の実施例において、マルチメディア部１３０４は、フロントカメラ及び／又はバックカメラを含む。装置１３００が操作モードにある場合、例えば、撮影モード又はビデオモードである場合、フロントカメラ及び／又はバックカメラは外部からのマルチメディアデータを受信することができる。各フロントカメラ及びバックカメラは、固定された光学レンズシステムであり、又は焦点距離と光学ズーム能力を有してもいい。
【０１２０】
オーディオ部１３０５は、オーディオ信号を出力及び／又は入力するように構成される。例えば、オーディオ部１３０５は、マイクロフォン（ＭＩＣ）を含んでいる。マイクロフォンは、装置１３００が操作モードにある場合、例えば、呼び出しモード、記録モード、音声認識モードにある場合、外部のオーディオ信号を受信するように構成される。受信されたオーディオ信号は、さらにメモリー１３０２に記憶され、又は通信部１３０８を介して送信される。一部の実施例において、オーディオ部１３０５は、さらにオーディオ信号を出力するスピーカーを含んでいる。
【０１２１】
Ｉ／Ｏインターフェース１３０６は、処理部１３０１と周辺インターフェースモジュールの間にインターフェースを提供する。上記周辺インターフェースモジュールは、キーボード、クリックホイール、ボタンなどであってもよい。これらのボタンは、ホームボタン、ボリュームボタン、スタートボタン及びロックボタンを含んでもいいが、それに限定されない。
【０１２２】
センサー部１３０７は、装置１３００へ各方面からの状態評価を提供する一つ又は複数のセンサーを含んでいる。センサー部１３０７は、例えば、装置１３００のオン／オフ状態、例えば装置１３００のディスプレイ及びキーパッドである部品の相対的位置決めを検出することができ、さらに装置１３００又は装置１３００の一つの部品の位置変化、ユーザと装置１３００の接触の有無、装置１３００の方位又は加速／減速、及び装置１３００の温度変化を検出することができる。センサー部１３０７は、物理的接触がない時、近傍物体の存在を検出する近接センサーを含んでいるように構成される。センサー部１３０７は、さらに、例えばＣＭＯＳ又はＣＣＤイメージセンサーなどの、イメージングアプリケーションに用いられる光学センサーを含むことができる。一部の実施例において、当該センサー部１３０７は、さらに加速度センサー、ジャイロセンサー、磁気センサー、圧力センサー又は温度センサーを含むことができる。
【０１２３】
通信部１３０８は、装置１３００とその他の装置との間の有線又は無線方式による通信にことに用いられるように構成される。装置１３００は、通信標準に基づく例えば、Ｗｉ−Ｆｉ、２Ｇ又は３Ｇ、又はそれらの組み合わせの無線ネットワークにアクセスすることができる。一例示的な実施例において、通信部１３０８は、放送チャネルを介して外部放送管理システムからの放送信号又は放送関連情報を受信する。一例示的な実施例において、通信部１３０８は、さらに狭域通信を促進するための近距離無線通信（ＮＦＣ）モジュールを含む。例えば、ＮＦＣモジュールにおいて、無線周波数識別（ＲＦＩＤ）技術、赤外線データ協会（ＩｒＤＡ）技術、超広帯域（ＵＷＢ）技術、ブルートゥース（ＢＴ）及びその他の技術により実現することができる。
【０１２４】
一例示的な実施例において、装置１３００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現され、上記方法を実行するためである。
【０１２５】
一例示的な実施例において、さらに、装置１３００のプロセッサ１３０９により実行されて上記方法を完成することができるコマンドを有する、例えばメモリー１３０２である非一時的コンピュータ可読記憶媒体を提供している。例えば、非一時的なコンピュータ可読記憶媒体は、ＲＯＭ、ランダムアクセスメモリー（ＲＡＭ）、ＣＤ−ＲＯＭ、磁気テープ、フロッピーディスク及び光データ記憶装置などであってもよい。
【０１２６】
そのうち、記憶媒体におけるコマンドが移動端末のプロセッサにより実行されることで、一つのターゲットオブジェクトの表示方法を移動端末に実行させ、当該ターゲットオブジェクトの表示方法は、
ターゲットオブジェクトに対してマルチタッチイベントの検出を行うこと、
検出されたマルチタッチイベントが予め設定された第１マルチタッチイベントであるか否かを判断し、第１マルチタッチイベントをトリガーとしてターゲットオブジェクトをプライベート表示モードに切り替えるように配置されること、
検出されたマルチタッチイベントが第１マルチタッチイベントである場合、プライベート表示モードでターゲットオブジェクトのみを表示するように、ターゲットオブジェクトをプライベート表示モードに切り替えることを含む。
【０１２７】
当業者であれば、明細書を考慮し、本明細書に開示された発明を実践した後、本公開のその他の実施態様を容易に想到できる。本発明の範囲は、本発明の如何なる変形、用途又は適応的変化を含むためのものであり、これらの変形、用途又は適応的変化は本発明の一般的な原理に準じ、本発明の開示されていない当該技術分野における周知知識又は慣用の技術手段を含む。明細書と実施例は例示的なものに過ぎず、本発明の実際の範囲と精神は特許請求の範囲により与えられる。
【０１２８】
ここで理解すべきことは、本発明は既に上記のように説明され、図面に示された精確な構成に限定されず、その範囲を逸脱しない限りにおいて様々な修正や変更を行うことができる。本発明の範囲は特許請求の範囲のみにより限定される。
【図１】
0006300389.tif 000002
【図２】
0006300389.tif 000003
【図３】
0006300389.tif 000004
【図４】
0006300389.tif 000005
【図５】
0006300389.tif 000006
【図６】
0006300389.tif 000007
【図７】
0006300389.tif 000008
【図８】
0006300389.tif 000009
【図９】
0006300389.tif 000010
【図１０】
0006300389.tif 000011
【図１１】
0006300389.tif 000012
【図１２】
0006300389.tif 000013
【図１３】
0006300389.tif 000014